【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】
カメラ本体の前方に突出したレンズ部と、
前記レンズ部を保持した手で操作されるマニュアルフォーカス操作部材と、
固体撮像素子を有する撮像手段と、
画像表示手段と、
前記画像表示手段に表示させる画像の倍率を現在の第１の倍率と該第１の倍率よりも高い第２の倍率との間で切り換える拡大スイッチと、
前記拡大スイッチから前記第２の倍率への切換指示を受入すると、前記撮像手段によって取得した撮影画像から所定の部分画像を切り出し、該切り出した部分画像が前記第２の倍率となるように前記画像表示手段に拡大表示させ、前記拡大スイッチから前記第１の倍率への切換指示を受入すると、前記撮像手段によって取得した撮影画像を前記第１の倍率で前記画像表示手段に表示させる拡大処理手段と、を備え、
前記拡大スイッチは、前記カメラ本体のグリップを保持した手で操作可能な位置に配置されていることを特徴とする電子カメラ。
【請求項２】
カメラ本体の前方に突出したレンズ部と、
前記レンズ部を保持した手で操作されるマニュアルフォーカス操作部材と、
固体撮像素子を有する撮像手段と、
画像表示手段と、
前記画像表示手段に表示させる画像の倍率を現在の第１の倍率と該第１の倍率よりも高い第２の倍率との間で切り換える拡大スイッチと、
前記拡大スイッチから前記第２の倍率への切換指示を受入すると、前記撮像手段によって取得した撮影画像から所定の部分画像を切り出し、該切り出した部分画像が前記第２の倍率となるように前記画像表示手段に拡大表示させ、前記拡大スイッチから前記第１の倍率への切換指示を受入すると、前記撮像手段によって取得した撮影画像を前記第１の倍率で前記画像表示手段に表示させる拡大処理手段と、を備え、
前記拡大スイッチは、前記マニュアルフォーカス操作部材と異なる位置であって、前記レンズ部を保持した手の指で操作可能な位置に配置されていることを特徴とする電子カメラ。
【請求項３】
カメラ本体の前方に突出したレンズ部と、
前記レンズ部を保持した手で操作されるマニュアルフォーカスリングであって、ピント調整時に回転操作されるとともに前記レンズ部の前後方向に移動可能なマニュアルフォーカスリングと、
固体撮像素子を有する撮像手段と、
画像表示手段と、
前記画像表示手段に表示させる画像の倍率を現在の第１の倍率と該第１の倍率よりも高い第２の倍率との間で切り換える拡大スイッチであって、前記マニュアルフォーカスリングの前後方向の移動に連動して前記第１の倍率と第２の倍率とを切り換える拡大スイッチと、
前記拡大スイッチから前記第２の倍率への切換指示を受入すると、前記撮像手段によって取得した撮影画像から所定の部分画像を切り出し、該切り出した部分画像が前記第２の倍率となるように前記画像表示手段に拡大表示させ、前記拡大スイッチから前記第１の倍率への切換指示を受入すると、前記撮像手段によって取得した撮影画像を前記第１の倍率で前記画像表示手段に表示させる拡大処理手段と、
を備えたことを特徴とする電子カメラ。
【請求項４】
前記拡大処理手段は、前記切り出した部分画像を前記画像表示手段の表示画面よりも小さい所定の表示領域に拡大表示させ、前記第１の倍率で表示されている画像中に前記第２の倍率の画像を嵌め込み合成することを特徴とする請求項１乃至３のいずれかに記載の電子カメラ。
【請求項５】
前記所定の表示領域を、前記画像表示手段の表示画面の１６分の１の画面から全画面までの範囲内で段階的又は任意に変更させる表示領域変更手段を有することを特徴とする請求項１乃至４のいずれかに記載の電子カメラ。
【請求項６】
前記第２の倍率を変更する倍率変更手段を有することを特徴とする請求項１乃至５のいずれかに記載の電子カメラ。
【請求項７】
カメラ本体の前方に突出したレンズ部と、
前記レンズ部を保持した手で操作されるマニュアルフォーカス操作部材と、
前記マニュアルフォーカス操作部材を操作することによってピント合わせを行うマニュアルフォーカスモードと自動的にピント合わせを行うオートフォーカスモードとを切り換えるフォーカスモード切換えスイッチと、を備え、
前記フォーカスモード切換えスイッチは、前記カメラ本体のグリップを保持した手で操作可能な位置に配置されていることを特徴とする電子カメラ。
【請求項８】
カメラ本体の前方に突出したレンズ部と、
前記レンズ部を保持した手で操作されるマニュアルフォーカス操作部材と、
前記マニュアルフォーカス操作部材を操作することによってピント合わせを行うマニュアルフォーカスモードと自動的にピント合わせを行うオートフォーカスモードとを切り換えるフォーカスモード切換えスイッチと、を備え、
前記フォーカスモード切換えスイッチは、前記マニュアルフォーカス操作部材と異なる位置であって、前記レンズ部を保持した手の指で操作可能な位置に配置されていることを特徴とする電子カメラ。
【請求項９】
固体撮像素子を有する撮像手段と、
画像表示手段と、
前記画像表示手段に表示させる画像の倍率を現在の第１の倍率と該第１の倍率よりも高い第２の倍率との間で切り換える拡大スイッチと、
前記フォーカスモード切換えスイッチによってマニュアルフォーカスモードに切り換えられ、かつ前記拡大スイッチから前記第２の倍率への切換指示を受入すると、前記撮像手段によって取得した撮影画像から所定の部分画像を切り出し、該切り出した部分画像が前記第２の倍率となるように前記画像表示手段に拡大表示させ、前記拡大スイッチから前記第１の倍率への切換指示を受入すると、前記撮像手段によって取得した撮影画像を前記第１の倍率で前記画像表示手段に表示させる拡大処理手段と、
を更に備えたことを特徴とする請求項７又は８に記載の電子カメラ。
【請求項１０】
カメラ本体の前方に突出したレンズ部と、
マニュアルフォーカス操作部材と、
固体撮像素子を有する撮像手段と、
画像表示手段と、
前記画像表示手段に表示させる画像の倍率を現在の第１の倍率と該第１の倍率よりも高い第２の倍率との間で切り換える拡大スイッチと、
前記拡大スイッチから前記第２の倍率への切換指示を受入すると、前記撮像手段によって取得した撮影画像から所定の部分画像を切り出し、該切り出した部分画像が前記第２の倍率となるように前記画像表示手段に拡大表示させ、前記拡大スイッチから前記第１の倍率への切換指示を受入すると、前記撮像手段によって取得した撮影画像を前記第１の倍率で前記画像表示手段に表示させる拡大処理手段と、を備え、
前記マニュアルフォーカス操作部材は、前記カメラ本体のグリップを保持した手で操作可能な位置に配置され、前記拡大スイッチは、前記レンズ部を保持した手で操作される位置に配置されていることを特徴とする電子カメラ。
【請求項１１】
前記拡大スイッチは、押されている間ＯＮして前記第２の倍率に切り換える切換指示を出力することを特徴とする請求項１、２、３、９、又は１０に記載の電子カメラ。
【請求項１２】
前記拡大スイッチは、ワンプッシュされるごとに交互にＯＮ／ＯＦＦして前記第２の倍率又は前記第１の倍率に切り換える切換指示を出力することを特徴とする請求項１、２、３、９又は１０に記載の電子カメラ。
【請求項１３】
ズームスイッチを更に備え、前記拡大処理手段は、前記画像表示手段に第２の倍率の拡大時に前記ズームスイッチがテレ側に操作されると、記拡大表示を更に拡大表示させることを特徴とする請求項１、２、３、９又は１０に記載の電子カメラ。
【請求項１４】
ズームスイッチを更に備え、前記拡大処理手段は、前記画像表示手段に第２の倍率の拡大時に前記ズームスイッチがテレ側に操作されると、前記画像表示手段における拡大表示領域を拡大させて更に拡大表示させることを特徴とする請求項１、２、３、９又は１０に記載の電子カメラ。